(57)【特許請求の範囲】
【請求項１】
大型のタイルパネルを乾式で壁材に取り付ける支持構造であって、
前記壁材の前面に上から下にかけて間欠的に複数段固定された横方向に延びる横フレームと、
前記横フレームに掛けられるように前記タイルパネルの後面に左右両端及び中央に固定された縦方向に延びる縦フレームと、
少なくとも前記縦フレームが固定されている位置であって、前記横フレームのうち最上段及び最下段又はその何れかに固定された支持プレートと、
前記横フレームのうち最上段のものが固定されている位置であって、前記縦フレームのうち中央のものに固定された荷重受けプレートと、を有し、
前記支持プレートは、前記タイルパネルが横方向にずれないように前記縦フレームを支え、
前記荷重受けプレートは、前記タイルパネルの荷重を一点で支えるために、下方に向かって湾曲した突片が前記横フレームの上に載せられる、
ことを特徴とするタイルパネル支持構造。
【請求項２】
前記タイルパネルは、タイルの下面を支持するタイル受け金具が固定される、
ことを特徴とする請求項１に記載のタイルパネル支持構造。
【請求項３】
前記縦フレームは、前記横フレームに掛けるための掛部を有し、
前記横フレームは、前記縦フレームが掛けられる上縦片、及び前記上縦片から連設され前記荷重受けプレートが載せられる中横片を有する、
ことを特徴とする請求項１又は２に記載のタイルパネル支持構造。
【請求項４】
前記支持プレートは、前記壁材が傾いたときに前記縦フレームに角が当たらないように当該角が切り落とされる、
ことを特徴とする請求項１乃至３の何れか一に記載のタイルパネル支持構造。
【発明の詳細な説明】
【技術分野】
【０００１】
本発明は、大型タイルを乾式施工する場合において地震等の振動に追従可能なタイルパネル支持構造に関する。
【背景技術】
【０００２】
建物の外壁としては、ＰＣ（プレキャストコンクリート）板、ＡＬＣ（高温高圧蒸気養生された軽量気泡コンクリート）パネル、ＥＣＰ（押出成形セメント板）などがあり、表面にタイルや石材などを貼り付けることで仕上げられる。なお、仕上げ方法としては、モルタルを使用して直接タイル等を貼着する湿式工法や、壁面に固定した支持金具にタイル等を引っ掛けて弾性接着剤で貼着する乾式工法などがある。【０００３】
湿式の場合、工期が長く職人の技量により品質に差が生じるが、乾式の場合、工期を短縮できる上に一定の品質も確保できる。特許文献１に記載されているように、外装タイルの乾式施工方法に関する発明も開示されている。【０００４】
また、地震などの振動により建物が傾くと貼着されたタイルに無理な力が掛かり、弾性接着剤である程度は吸収できても、タイルが剥がれたり割れたりして落下するおそれがある。特許文献２に記載されているように、タイルを固定する下地材自体が建物躯体に対して水平方向に相対移動可能に取り付けた発明も開示されている。
【先行技術文献】
【特許文献】
【０００５】
【特許文献１】特開平０５−０１８０８８号公報
【特許文献２】特許第３１７１５６７号公報
【発明の概要】
【発明が解決しようとする課題】
【０００６】
しかしながら、建物の外壁に１枚の大型のタイル又は複数の小型のタイルを貼り付けたタイルパネルを取り付けた場合、地震などの振動時に高層階に行くほど揺れ幅が大きくなり、タイルパネルの上部と下部とで大きく歪みが生じるので、水平方向に可動させてもその歪みを吸収しきれなくなるという問題がある。【０００７】
そこで、本発明は、大型タイルを乾式施工する場合において地震等の振動に追従可能なタイルパネル支持構造を提供することを目的とする。
【課題を解決するための手段】
【０００８】
上記の課題を解決するために、本発明は、大型のタイルパネルを乾式で壁材に取り付ける支持構造であって、前記壁材の前面に上から下にかけて間欠的に複数段固定された横方向に延びる横フレームと、前記横フレームに掛けられるように前記タイルパネルの後面に左右両端及び中央に固定された縦方向に延びる縦フレームと、少なくとも前記縦フレームが固定されている位置であって、前記横フレームのうち最上段及び最下段又はその何れかに固定された支持プレートと、前記横フレームのうち最上段のものが固定されている位置であって、前記縦フレームのうち中央のものに固定された荷重受けプレートと、を有し、前記支持プレートは、前記タイルパネルが横方向にずれないように前記縦フレームを支え、前記荷重受けプレートは、前記タイルパネルの荷重を一点で支えるために、下方に向かって湾曲した突片が前記横フレームの上に載せられる、ことを特徴とする。【０００９】
また、前記タイルパネル支持構造において、前記タイルパネルは、タイルの下面を支持するタイル受け金具が固定される、ことを特徴とする。【００１０】
また、前記タイルパネル支持構造において、前記縦フレームは、前記横フレームに掛けるための掛部を有し、前記横フレームは、前記縦フレームが掛けられる上縦片、及び前記上縦片から連設され前記荷重受けプレートが載せられる中横片を有する、ことを特徴とする。【００１１】
また、前記タイルパネル支持構造において、前記支持プレートは、前記壁材が傾いたときに前記縦フレームに角が当たらないように当該角が切り落とされる、ことを特徴とする。
【発明の効果】
【００１２】
本発明によれば、大型タイルを乾式施工する場合でも地震等の振動に追従させることができる。大型で重量のあるタイルパネルでも、壁面に対して一点で支持し、左右に揺動可能であるため、振動による揺れ幅が大きくなってもタイルパネルに生じる歪みを吸収することができる。
【図面の簡単な説明】
【００１３】
【図１】本発明であるタイルパネル支持構造の全体概要を示す正面図、平面図及び側面図である。
【図２】本発明であるタイルパネル支持構造のＡ部を拡大した正面図、平面図及び側面図である。
【図３】本発明であるタイルパネル支持構造の横フレームに縦フレームを掛けた状態を示す背面斜視図である。
【図４】本発明であるタイルパネル支持構造の荷重受けプレートで一点支持した状態を示す背面斜視図である。
【図５】本発明であるタイルパネル支持構造の縦フレームの位置に支持プレートを配した状態を示す正面斜視図である。
【図６】本発明であるタイルパネル支持構造を備えた建物に歪みが発生した時の状態を示す正面図である。
【図７】本発明であるタイルパネル支持構造の横フレームを示す正面図、平面図及び側面図である。
【図８】本発明であるタイルパネル支持構造の縦フレームを示す正面図、平面図及び側面図である。
【図９】本発明であるタイルパネル支持構造の荷重受けプレートを示す正面図、平面図及び側面図である。
【図１０】本発明であるタイルパネル支持構造の支持プレートを示す正面図、平面図及び側面図である。
【図１１】本発明であるタイルパネル支持構造のＢ部を拡大した正面図、平面図及び側面図である。
【図１２】本発明であるタイルパネル支持構造のタイル受け金具を示す正面図、平面図及び側面図である。
【発明を実施するための形態】
【００１４】
以下に、本発明の実施形態について図面を参照して詳細に説明する。同一機能を有するものは同一符号を付け、その繰り返しの説明は省略する場合がある。
【実施例１】
【００１５】
まず、本発明であるタイルパネル支持構造の概要について説明する。図１は、タイルパネル支持構造の全体概要を示す（ａ）正面図、（ｂ）平面図及び（ｃ）右側面図である。なお、（ａ）正面図においてタイルパネルは透過した状態で示す。なお、建物の外方に向かう側を前（表）とし、内方に向かう側を後（裏）とする。また、（ａ）正面図において、タイルパネルは透過した状態で示す（図２及び図１１も同様）。【００１６】
図１に示すように、建物１００の壁材２００には、タイルパネル４００が乾式工法によって取り付けられる。壁材２００は、建物１００の外壁として使用される建材であり、ＰＣ（プレキャストコンクリート）板、ＡＬＣ（高温高圧蒸気養生された軽量気泡コンクリート）パネル、ＥＣＰ（押出成形セメント板）などを使用しても良い。壁材２００は、胴縁２１０を下地部材としてビス２２０で固定される。胴縁２１０は、断面がＣ状のリップ溝形鋼（Ｃチャンネル）等の材軸方向に長い鋼材である。なお、壁材２００の下端には水切り２３０を取り付けても良い。【００１７】
壁材２００の前面には、複数の横フレーム３００が固定され、タイルパネル４００も後面には、複数の縦フレーム５００が固定され、横フレーム３００に縦フレーム５００を掛けることにより、壁材２００にタイルパネル４００を取り付ける。【００１８】
横フレーム３００は、横方向に延びる金具であり、壁材２００の前面に上から下にかけて間欠的に複数段が配置される。横フレーム３００は、タイルパネル４００の上部近辺に配置される最上段と、タイルパネル４００の下部近辺に配置される最下段との間には、任意の本数が配置されれば良い。また、横フレーム３００は、胴縁２１０の位置において壁材２００を固定しているビス２２０を利用して、壁材２００に固定されれば良い。【００１９】
タイルパネル４００は、１枚の大型のタイル又は複数の小型のタイルが貼着された装飾材である。タイルには、陶磁器などの板材の他に、薄いシート状にした石材も含まれる。タイルパネル４００は、予めタイルを貼った状態で製造しても良いし、壁材２００へ取り付ける時にタイルを貼り付けても良い。なお、タイルパネル４００が大型になると、建物１００が地震等の振動により歪みを生じたときに、影響を大きく受けることになる。【００２０】
縦フレーム５００は、縦方向に延びる金具であり、タイルパネル４００の後面に複数本が配置される。縦フレーム５００は、少なくともタイルパネル４００の左端と中央と右端に配置され、それらの間には任意に配置しても良い。【００２１】
縦フレーム５００には、荷重受けプレート６００が固定される。荷重受けプレート６００は、最上段の横フレーム３００が固定されている位置に合わせて、中央の縦フレーム５００に取り付けられる。荷重受けプレート６００は、タイルパネル４００に１個あれば良い。縦フレーム５００を横フレーム３００に掛けたときに、荷重受けプレート６００が横フレーム３００の上に載る。タイルパネル４００の荷重は、荷重受けプレート６００に掛かり、横フレーム３００との接点において一点で支持される。【００２２】
横フレーム３００には、支持プレート７００が固定される。支持プレート７００は、少なくとも左端の縦フレーム５００、中央の縦フレーム５００及び右端の縦フレーム５００が固定されている位置に合わせて、最上段の横フレーム３００と最下段の横フレーム３００に取り付けられる。また、中間の縦フレーム５００が固定されている位置に合わせて取り付けても良いし、中間の横フレーム３００にも取り付けても良い。縦フレーム５００を横フレーム３００に掛けたときに、タイルパネル４００が横方向にずれないように、支持プレート７００で縦フレーム５００を押さえる。【００２３】
タイルパネル４００には、タイルの下面を支えるためのタイル受け金具８００が固定される。タイル受け金具８００は、タイルが載るように、前方に突出させた金具である。タイル受け金具８００は、縦フレーム５００をタイルパネル４００に固定しているビスを利用して、タイルパネル４００の下部に固定されれば良い。【００２４】
次に、タイルパネル支持構造における上部の構造について説明する。図２は、タイルパネル支持構造のＡ部（図１において点線で囲んだ上部中央）付近を拡大した（ａ）正面図、（ｂ）平面図及び（ｃ）右側面図である。【００２５】
図２に示すように、タイルパネル４００は、壁材２００には固定されておらず、荷重受けプレート６００によって一点で支持される。また、タイルパネル４００は、支持プレート７００によって位置がずれないように保持される。【００２６】
タイルパネル４００は、マグネシウム板などの下地材４２０に、弾性接着剤などの接着剤４３０を用いて、タイル４１０が貼着されたものである。天然石を薄く剥がしてシート状にした石材を大きなサイズで使用する場合は、タイルパネル４００のサイズもそれに合わせて大きくなる。【００２７】
下地材４２０の前側から後側にビスを貫通させて、下地材４２０の後面に縦フレーム５００が固定される。縦フレーム５００の後側には、ビス４４０ａを用いて荷重受けプレート６００が固定される。横フレーム３００の前側には、ビス４４０ｂを用いて支持プレート７００が固定される。【００２８】
図３は、タイルパネル支持構造の横フレームに縦フレームを掛けた状態を示す背面斜視図である（壁材がない状態）。図５は、タイルパネル支持構造の縦フレームの位置に支持プレートを配した状態を示す正面斜視図である（タイルパネルがない状態）。図４は、タイルパネル支持構造の荷重受けプレートで一点支持した状態を示す背面斜視図である（壁材がない状態）。【００２９】
図３に示すように、横フレーム３００に対して、縦フレーム５００が掛けられる。タイルパネル４００が前後にズレないように掛かっているだけで、タイルパネル４００を持ち上げれば、取り外すことが可能である。【００３０】
図４に示すように、縦フレーム５００は、横フレーム３００において支持プレート７００が取り付けられている位置に掛けられる。なお、支持プレート７００が前側、荷重受けプレート６００が後側に来るように掛けられる。【００３１】
図５に示すように、横フレーム３００と縦フレーム５００とは奥まで嵌合している訳ではなく、横フレーム３００に荷重受けプレート６００が載ることで支持される。タイルパネル４００の荷重は、荷重受けプレート６００と横フレーム３００の接点でのみ受けている。【００３２】
図６は、タイルパネル支持構造を備えた建物に（ａ）歪みが発生していない時の状態及び（ｂ）歪みが発生した時の状態を示す正面図である。図６に示すように、地震などの振動時に、建物１００は高層階に行くほど揺れ幅が大きくなり、その傾きに伴う建物１００の歪みによってタイルパネル４００の上部と下部とで垂直方向の位置に大きくズレ２４０が生じる。【００３３】
壁材２００とタイルパネル４００とが弾性接着剤などで接着されていると、建物１００に生じた歪みを弾性接着剤で吸収することができず、タイルパネル４００が損傷する。そのため、タイルパネル４００を壁材２００に接着せず、タイルパネル４００の中央にある荷重受けプレート６００で揺動可能に支持する。タイルパネル４００に固定された縦フレーム５００が、壁材２００に固定された横フレーム３００の支持プレート７００の位置に合うように、タイルパネル４００が傾く。すなわち、建物１００の傾きに追従してタイルパネル４００も傾くようになる。【００３４】
各部材について説明する。図７は、タイルパネル支持構造の横フレームを示す（ａ）正面図、（ｂ）平面図及び（ｃ）右側面図である。図８は、タイルパネル支持構造の縦フレームを示す（ａ）正面図、（ｂ）平面図及び（ｃ）右側面図である。図９は、タイルパネル支持構造の荷重受けプレートを示す（ａ）正面図、（ｂ）平面図及び（ｃ）右側面図である。図１０は、タイルパネル支持構造の支持プレートを示す（ａ）正面図、（ｂ）平面図及び（ｃ）右側面図である。【００３５】
図７に示すように、横フレーム３００は、横方向に長い板材を、縦断面がクランク状になるように折り曲げた金具である。横フレーム３００は、前側に垂立する上縦片３１０、後側に垂立する下縦片３３０、及び上縦片３１０の下端と下縦片３３０の上端を繋ぐように連設された中横片３２０等からなる【００３６】
上縦片３１０は、縦フレーム５００を掛けるために壁材２００から浮かした部分であり、支持プレート７００も取り付けられる。中横片３２０は、荷重受けプレート６００を載せる部分である。【００３７】
下縦片３３０は、壁材２００に固定される部分である。下縦片３３０には、ルーズホール状の留孔３４０と円状の留孔３４０ａとが交互に空けられ、任意の位置にビス２２０を通すことが可能である。【００３８】
図８に示すように、縦フレーム５００は、縦方向に長い板材を、横断面がＵ字状になるように折り曲げた金具である。縦フレーム５００は、左側の側縦片５１０、右側の側縦片５１０、及び左右両側の側縦片５１０の前端を繋ぐように連設された前縦片５２０等からなる。【００３９】
側縦片５１０は、横フレーム３００に掛けるために、後方に突出させた部分であり、荷重受けプレート６００も取り付けられる。側縦片５１０には、横フレーム３００に掛けるための掛部５３０が形成される。掛部５３０は、横フレーム３００の位置に合わせて切り欠き、上部をフック状に下垂させて、横フレーム３００の上縦片３１０に掛けられるようにすれば良い。【００４０】
側縦片５１０には、掛部５３０の上側あたりに留孔５４０が空けられる。左側の側縦片５１０から右側の側縦片５１０にかけて後側を渡すように、荷重受けプレート６００を取り付けるときに、ビス４４０ａを通すことが可能である。前縦片５２０は、タイルパネル４００に固定される部分である。【００４１】
図９に示すように、荷重受けプレート６００は、板材を横断面が逆Ｕ字状になるように折り曲げた金具である。荷重受けプレート６００は、左側の側縦片６１０、右側の側縦片６１０、左右両側の側縦片６１０の後端を繋ぐように連設された後縦片６２０、後縦片６２０から下方に突出させた突片６３０等からなる。【００４２】
側縦片６１０は、縦フレーム５００に固定される部分である。左側の側縦片６１０と右側の側縦片６１０との間隔は、縦フレーム５００の幅（板材の厚さを考慮した幅）となる。縦フレーム５００の後側を後縦片６２０で塞ぐように荷重受けプレート６００を被せれば良い。【００４３】
縦フレーム５００の留孔５４０の位置に合わせて、側縦片６１０にもビス４４０ａを通すための留孔６６０が空けられる。また、縦フレーム５００を横フレーム３００に掛けるための掛部５３０が側縦片６１０によって塞がれないように、側縦片６１０には、縦フレーム５００の掛部５３０に合わせて、切欠き６５０が空けられる。【００４４】
突片６３０の下端には、円弧状に突出させた湾曲部６４０を有する。突片６３０の湾曲部６４０が横フレーム３００の中横片３２０の上に載せられる。湾曲部６４０上の一点だけが横フレーム３００に載っており、タイルパネル４００の荷重がその一点に集中する。また、湾曲しているためタイルパネル４００を傾かせることも可能である。【００４５】
なお、突片６３０の縦長は、縦フレーム５００を横フレーム３００に掛けたときに、横フレーム３００の上縦片３１０の上端に、縦フレーム５００の掛部５３０が載って、タイルパネル４００の荷重が掛からないような長さにする。【００４６】
図１０に示すように、支持プレート７００は、板材を縦断面がコの字状になるように折り曲げた金具である。支持プレート７００は、上側の側横片７１０、下側の側横片７１０、上下両側の側横片７１０の後端を繋ぐように連設された後縦片７２０等からなる。【００４７】
側横片７１０は、横フレーム３００から前側に突出させる部分である。側横片７１０は、縦フレーム５００の左側の側縦片５１０と右側の側縦片５１０の間に入ることが可能な幅で設けられる。後縦片７２０には、留孔７４０が空けられる。横フレーム３００の上縦片３１０に固定するときに、ビス４４０ｂを通すことが可能である。【００４８】
側横片７１０を縦フレーム５００に嵌め込むことで、タイルパネル４００の横方向への位置ズレを抑制する。側横片７１０には、壁材２００が傾いたときに、縦フレーム５００に角が当たらないように、角の部分に切落し７３０が形成される。なお、切落し７３０は、斜めに切り落としても良いし、角を丸めても良い。【００４９】
次に、タイルパネル支持構造における下部の構造について説明する。図１１は、タイルパネル支持構造のＢ部（図１において点線で囲んだ下部中央）付近を拡大した（ａ）正面図、（ｂ）平面図及び（ｃ）右側面図である。なお、（ａ）正面図においてタイルパネルは透過した状態で示す。図１２は、タイルパネル支持構造のタイル受け金具を示す（ａ）正面図、（ｂ）平面図及び（ｃ）右側面図である。【００５０】
図１１に示すように、タイルパネル４００は、横フレーム３００に固定した支持プレート７００を縦フレーム５００に嵌合させることで、横方向に位置がずれないように保持される。なお、支持プレート７００は、縦フレーム５００に沿って動くことは可能である。支持プレート７００は、少なくとも縦フレーム５００が固定されている位置であって、横フレーム３００のうち最上段及び最下段又はその何れかに固定される。【００５１】
タイルパネル４００は、タイル４１０を接着剤４３０で下地材４２０に貼っただけなので、タイル受け金具８００でタイル４１０の下面を支える。タイル受け金具８００は、縦フレーム５００をタイルパネル４００に固定するために使用されるビス４４０を利用して、下地材４２０と縦フレーム５００の間に挟み込むように固定されれば良い。【００５２】
図１２に示すように、タイル受け金具８００は、横方向に長い板材を、縦断面がＬ字状になるように折り曲げた金具である。タイル受け金具８００は、後側に垂立する後縦片８１０、及び後縦片８１０の下端から前方に突出するように連設された下横片８２０等からなる。タイル受け金具８００は、タイルパネル４００と同じ幅にすれば良い。【００５３】
後縦片８１０は、タイルパネル４００に固定される部分である。下横片８２０は、タイル４１０を載せる部分である。タイル４１０の厚さだけ前方に突出していれば良い。タイル４１０を支持すれば良いので、部分的又は間欠的に突出するだけでも良い。【００５４】
本発明によれば、大型タイルを乾式施工する場合でも地震等の振動に追従させることができる。大型で重量のあるタイルパネルでも、壁面に対して一点で支持し、左右に揺動可能であるため、振動による揺れ幅が大きくなってもタイルパネルに生じる歪みを吸収することができる。【００５５】
以上、本発明の実施例を述べたが、これらに限定されるものではない。例えば、タイルパネル４００は、下地材４２０を先に製造しておいて後から１枚の大型又は複数の小型のタイル４１０を貼り付けても良いし、予め下地材４２０に１枚の大型又は複数の小型のタイル４１０を貼り付けた状態で製造しても良い。
【符号の説明】
【００５６】
１００：建物
２００：壁材
２１０：胴縁
２２０：ビス
２３０：水切り
２４０：ズレ
３００：横フレーム
３１０：上縦片
３２０：中横片
３３０：下縦片
３４０：留孔
４００：タイルパネル
４１０：タイル
４２０：下地材
４３０：接着剤
４４０：ビス
５００：縦フレーム
５１０：側縦片
５２０：前縦片
５３０：掛部
５４０：留孔
６００：荷重受けプレート
６１０：側縦片
６２０：後縦片
６３０：突片
６４０：湾曲部
６５０：切欠き
６６０：留孔
７００：支持プレート
７１０：側横片
７２０：後縦片
７３０：切落し
７４０：留孔
８００：タイル受け金具
８１０：後縦片
８２０：下横片
【要約】
大型タイルを乾式施工する場合において地震等の振動に追従可能にする。
壁材の前面に上から下にかけて間欠的に複数段固定された横方向に延びる横フレームと、前記横フレームに掛けられるようにタイルパネルの後面に左右両端及び中央に固定された縦方向に延びる縦フレームと、少なくとも前記縦フレームが固定されている位置であって、前記横フレームのうち最上段及び最下段又はその何れかに固定された支持プレートと、前記横フレームのうち最上段のものが固定されている位置であって、前記縦フレームのうち中央のものに固定された荷重受けプレートと、を有し、前記支持プレートは、前記タイルパネルが横方向にずれないように前記縦フレームを支え、前記荷重受けプレートは、前記タイルパネルの荷重を一点で支えるために、下方に向かって湾曲した突片が前記横フレームの上に載せられる。【図１】
0006519905.tif 000002
【図２】
0006519905.tif 000003
【図３】
0006519905.tif 000004
【図４】
0006519905.tif 000005
【図５】
0006519905.tif 000006
【図６】
0006519905.tif 000007
【図７】
0006519905.tif 000008
【図８】
0006519905.tif 000009
【図９】
0006519905.tif 000010
【図１０】
0006519905.tif 000011
【図１１】
0006519905.tif 000012
【図１２】
0006519905.tif 000013